(57)【要約】本発明は、無線制御モジュール、無線壁スイッチ、電力使用機器、及びシステムに係り、スマート制御分野に属する。前記無線制御モジュールは、メイン制御モジュールと、活線オンオフ検出モジュールと、無線通信モジュールと、制御スイッチとを含み、前記活線オンオフ検出モジュールは、フラッシュスイッチが直列接続される活線のオンオフ状態を検出するように構成され、前記フラッシュスイッチは、外力で押圧される場合、オフ状態にあり、外力で押圧されない場合、オン状態にあるスイッチであり、前記無線通信モジュールは、無線制御メッセージを受信し、電力使用機器の現在の状態をアップロードするように構成され、前記無線制御メッセージは、電力使用機器のオンオフ状態を制御するものであり、前記メイン制御モジュールは、前記活線のオンオフ状態または無線通信モジュールから送信された無線制御メッセージに基づいて、前記電力使用機器の現在の状態と結合して、前記電力使用機器の現在の状態を変更するための制御コマンドを生成するように構成される。【選択図】図１
2021532608.tif 000002
【特許請求の範囲】
【請求項１】
メイン制御モジュールと、前記メイン制御モジュールに接続される活線オンオフ検出モジュールと、前記メイン制御モジュールに接続される無線通信モジュールと、前記メイン制御モジュールに接続される制御スイッチとを含み、
前記活線オンオフ検出モジュールは、フラッシュスイッチが直列接続される活線のオンオフ状態を検出するように構成され、前記フラッシュスイッチは、外力で押圧される場合、オフ状態にあり、外力で押圧されない場合、オン状態にあるスイッチであり、
前記無線通信モジュールは、無線制御メッセージを受信し、電力使用機器の現在の状態をアップロードするように構成され、前記無線制御メッセージは、前記電力使用機器のオンオフ状態を制御するものであり、
前記メイン制御モジュールは、前記活線のオンオフ状態と前記電力使用機器の現在の状態に基づいて、前記現在の状態を変更するための制御コマンドを生成し、または、前記無線制御メッセージで指示される遠隔制御コマンドに基づいて、前記電力使用機器の現在の状態を維持しまたは前記現在の状態を変更するための制御コマンドを生成し、前記制御スイッチに前記制御コマンドを出力するように構成される
ことを特徴とする無線制御モジュール。
【請求項２】
前記メイン制御モジュールは、前記活線がオフ状態にあり且つ前記電力使用機器の現在の状態が動作状態であることを検出した場合、オフ状態に変更するための制御コマンドを生成するように構成され、
前記メイン制御モジュールは、前記活線がオフ状態にあり且つ前記電力使用機器の現在の状態が前記オフ状態である場合、前記動作状態に変更するための制御コマンドを生成するように構成される
ことを特徴とする請求項１に記載の無線制御モジュール。
【請求項３】
前記メイン制御モジュールは、前記無線制御メッセージが動作状態に移行することを指示し且つ前記電力使用機器の現在の状態が前記動作状態である場合、前記電力使用機器の現在の状態を維持するように構成され、
前記メイン制御モジュールは、前記無線制御メッセージが動作状態に移行することを指示し且つ前記電力使用機器の現在の状態がオフ状態である場合、前記動作状態に変更するための制御コマンドを生成するように構成され、
前記メイン制御モジュールは、前記無線制御メッセージが前記オフ状態に移行することを指示し且つ前記電力使用機器の現在の状態が前記オフ状態である場合、前記電力使用機器の現在の状態を維持するように構成され、
前記メイン制御モジュールは、前記無線制御メッセージが前記オフ状態に移行することを指示し且つ前記電力使用機器の現在の状態が前記動作状態である場合、前記オフ状態に変更するための制御コマンドを生成するように構成される
ことを特徴とする請求項１に記載の無線制御モジュール。
【請求項４】
前記活線オンオフ検出モジュールは、整流サブモジュールと、分圧サブモジュールと、スイッチングチューブと、バッファとを含み、
前記整流サブモジュールの入力端は、前記活線に接続され、前記整流サブモジュールの出力端は、前記分圧サブモジュールの入力端に接続され、前記分圧サブモジュールの出力端は、前記スイッチングチューブの制御端に接続され、前記スイッチングチューブの第１の接続端は、前記メイン制御モジュールの入力端に接続され、前記スイッチングチューブの第２の接続端は、接地され、
前記スイッチングチューブは、前記活線がオン状態にある場合、オン状態にあり、前記活線がオフ状態にある場合、オフ状態にあるように構成され、
前記バッファは、前記スイッチングチューブの出力信号に対して目標時間を延長した後、前記メイン制御モジュールに入力するように構成される
ことを特徴とする請求項１ないし３のいずれか一項に記載の無線制御モジュール。
【請求項５】
前記活線オンオフ検出モジュールは、整流サブモジュールと、ＲＣ回路、アナログデジタルコンバーターを含み、
前記整流サブモジュールの入力端は、前記活線に接続され、前記整流サブモジュールの出力端は、前記ＲＣ回路の入力端に接続され、
前記アナログデジタルコンバーターの入力端は、前記ＲＣ回路を介して前記整流サブモジュールに接続され、前記アナログデジタル変換モジュールの出力端は、前記メイン制御モジュールの入力端に接続される
ことを特徴とする請求項１ないし３のいずれか一項に記載の無線制御モジュール。
【請求項６】
前記無線通信モジュールは、
ジグビー（Ｚｉｇｂｅｅ）機能を備える通信モジュールと、
低消費電力のＢｌｕｅｔｏｏｔｈ（登録商標）（ＢＬＥ）機能を備える通信モジュールと、
ＷＩＦＩ機能を備える通信モジュールと、
赤外線遠隔制御機能を備える通信モジュールとのうちの少なくとも一つのモジュールを含む
ことを特徴とする請求項１ないし３のいずれか一項に記載の無線制御モジュール。
【請求項７】
前記無線制御モジュールは、電力供給モジュールをさらに含み、
前記電力供給モジュールは、前記活線の交流電力を直流電力に変換し、前記直流電力を前記メイン制御モジュール、前記活線オンオフ検出モジュール、前記無線通信モジュール及び前記制御スイッチのうちの少なくとも一つのモジュールに出力して電力を供給するように構成される
ことを特徴とする請求項１ないし３のいずれか一項に記載の無線制御モジュール。
【請求項８】
前記無線制御モジュールは、タンク回路をさらに含み、
前記タンク回路は、前記活線のオンオフ状態がオン状態である場合、前記電力供給モジュールで提供された電力エネルギーをエネルギー蓄積素子に蓄積し、前記活線のオンオフ状態がオフ状態である場合、前記エネルギー蓄積素子を介して前記メイン制御モジュール、前記活線オンオフ検出モジュール、前記無線通信モジュール及び前記制御スイッチのうちの少なくとも一つのモジュールに電力を供給するように構成される
ことを特徴とする請求項７に記載の無線制御モジュール。
【請求項９】
第１の接線端と第２の接線端の間に順次直列接続されるフラッシュスイッチと無線制御モジュールとを含み、
前記無線制御モジュールは、請求項１ないし８のいずれか一項に記載の無線制御モジュールである
ことを特徴とする無線壁スイッチ。
【請求項１０】
前記無線壁スイッチは、８６型の壁スイッチである
ことを特徴とする請求項９に記載の無線壁スイッチ。
【請求項１１】
前記無線壁スイッチ内には、安全スイッチがさらに含まれ、
前記安全スイッチは、前記第１の接線端と前記第２の接線端との間の通路を切断させた切断状態で動作し、または、第１の接線端と前記第２の接線端との間の通路を導通させた保持状態で動作するように構成される
ことを特徴とする請求項９に記載の無線壁スイッチ。
【請求項１２】
請求項１ないし８のいずれか一項に記載の無線制御モジュールを含む
ことを特徴とする電力使用機器。
【請求項１３】
活線と零線との間に順次直列接続されるフラッシュスイッチ、無線制御モジュール、及び電力使用機器を含み、
前記無線制御モジュールは、請求項１ないし８のいずれか一項に記載の無線制御モジュールである
ことを特徴とする無線制御システム。
【請求項１４】
活線と零線との間に順次直列接続されるフラッシュスイッチ、及び電力使用機器を含み、
前記電力使用機器は、請求項１ないし８のいずれか一項に記載の無線制御モジュールを含む
ことを特徴とする無線制御システム。
【発明の詳細な説明】
【技術分野】
【０００１】
本発明は、スマート制御分野に係り、特に、無線制御モジュール、無線壁スイッチ、電力使用機器、及びシステムに関する。
【背景技術】
【０００２】
無線制御スイッチは、無線制御機能を備えるスイッチであって、スマートホームを構成する重要な部品の一つです。無線制御機能は、ユーザーが携帯電話、タブレット、パソコンなどの遠隔制御装置により無線制御スイッチのオンまたはオフをリモートで制御して、電力使用機器の遠隔制御を実現する機能である。
【０００３】
関連技術では、無線制御スイッチ、一般的な機械式スイッチ、及び電力使用機器を一緒に回路に直列接続する。一般的な機械スイッチは、オン状態に設定される必要があり、その後、ユーザーは、遠隔制御装置を介して電力使用機器の遠隔制御を実現する。
一般的な機械スイッチがオフ状態に設定される場合、無線制御スイッチは、動作することができない。無線制御スイッチは、ユーザーが遠隔制御装置を介して送信されたオンコマンドを受信しても、一般的な機械式スイッチがオフ状態にあるので、無線制御スイッチは、電力使用機器をオンにすることができない。
【発明の概要】
【発明が解決しようとする課題】
【０００４】
本発明の実施例は、一般的な機械式スイッチがオフ状態にある場合、無線制御スイッチが電力使用機器をオンにすることができない問題を解決することができる無線制御モジュール、無線壁スイッチ、電力使用機器、及びシステムを提供する。上記の技術案は、以下の通りである。
【課題を解決するための手段】
【０００５】
本発明の一態様によれば、メイン制御モジュールと、前記メイン制御モジュールに接続される活線オンオフ検出モジュールと、前記メイン制御モジュールに接続される無線通信モジュールと、前記メイン制御モジュールに接続される制御スイッチとを含み、
前記活線オンオフ検出モジュールは、フラッシュスイッチが直列接続される活線のオンオフ状態を検出するように構成され、前記フラッシュスイッチは、外力で押圧される場合、オフ状態にあり、外力で押圧されない場合、オン状態にあるスイッチであり、
前記無線通信モジュールは、無線制御メッセージを受信し、電力使用機器の現在の状態をアップロードするように構成され、前記無線制御メッセージは、前記電力使用機器のオンオフ状態を制御するものであり、
前記メイン制御モジュールは、前記活線のオンオフ状態と前記電力使用機器の現在の状態に基づいて、前記現在の状態を変更するための制御コマンドを生成し、または、前記無線制御メッセージで指示される遠隔制御コマンドに基づいて、前記電力使用機器の現在の状態を維持しまたは前記現在の状態を変更するための制御コマンドを生成し、前記制御スイッチに前記制御コマンドを出力するように構成される無線制御モジュールを提供する。
【０００６】
１つの選択可能な実施例において、前記メイン制御モジュールは、前記活線がオフ状態にあり且つ前記電力使用機器の現在の状態が動作状態であることを検出した場合、オフ状態に変更するための制御コマンドを生成するように構成され、前記メイン制御モジュールは、前記活線がオフ状態にあり且つ前記電力使用機器の現在の状態が前記オフ状態である場合、前記動作状態に変更するための制御コマンドを生成するように構成される。
【０００７】
１つの選択可能な実施例において、前記メイン制御モジュールは、前記無線制御メッセージが動作状態に移行することを指示し且つ前記電力使用機器の現在の状態が前記動作状態である場合、前記電力使用機器の現在の状態を維持するように構成され、前記メイン制御モジュールは、前記無線制御メッセージが動作状態に移行することを指示し且つ前記電力使用機器の現在の状態がオフ状態である場合、前記動作状態に変更するための制御コマンドを生成するように構成され、前記メイン制御モジュールは、前記無線制御メッセージが前記オフ状態に移行することを指示し且つ前記電力使用機器の現在の状態が前記オフ状態である場合、前記電力使用機器の現在の状態を維持するように構成され、前記メイン制御モジュールは、前記無線制御メッセージが前記オフ状態に移行することを指示し且つ前記電力使用機器の現在の状態が前記動作状態である場合、前記オフ状態に変更するための制御コマンドを生成するように構成される。
【０００８】
１つの選択可能な実施例において、前記活線オンオフ検出モジュールは、整流サブモジュールと、分圧サブモジュールと、スイッチングチューブと、バッファとを含み、
前記整流サブモジュールの入力端は、前記活線に接続され、前記整流サブモジュールの出力端は、前記分圧サブモジュールの入力端に接続され、前記分圧サブモジュールの出力端は、前記スイッチングチューブの制御端に接続され、前記スイッチングチューブの第１の接続端は、前記メイン制御モジュールの入力端に接続され、前記スイッチングチューブの第２の接続端は、接地され、
前記スイッチングチューブは、前記活線がオン状態にある場合、オン状態にあり、前記活線がオフ状態にある場合、オフ状態にあるように構成され、
前記バッファは、前記スイッチングチューブの出力信号に対して目標時間を延長した後、前記メイン制御モジュールに入力するように構成される。
【０００９】
１つの選択可能な実施例において、前記活線オンオフ検出モジュールは、整流サブモジュールと、ＲＣ回路、アナログデジタルコンバーターを含み、
前記整流サブモジュールの入力端は、前記活線に接続され、前記整流サブモジュールの出力端は、前記ＲＣ回路の入力端に接続され、
前記アナログデジタルコンバーターの入力端は、前記ＲＣ回路を介して前記整流サブモジュールに接続され、前記アナログデジタル変換モジュールの出力端は、前記メイン制御モジュールの入力端に接続される。
【００１０】
１つの選択可能な実施例において、前記無線通信モジュールの出力端は、前記メイン制御モジュールの入力端に接続され、
前記無線通信モジュールは、
ジグビー（Ｚｉｇｂｅｅ）機能を備える通信モジュールと、
低消費電力のＢｌｕｅｔｏｏｔｈ（登録商標）（ＢＬＥ）機能を備える通信モジュールと、
ＷＩＦＩ機能を備える通信モジュールと、
赤外線遠隔制御機能を備える通信モジュールとのうちの少なくとも一つのモジュールを含む。
【００１１】
１つの選択可能な実施例において、前記無線制御モジュールは、電力供給モジュールをさらに含み、
前記電力供給モジュールは、前記活線の交流電力を直流電力に変換し、前記直流電力を前記メイン制御モジュール、前記活線オンオフ検出モジュール、前記無線通信モジュール及び前記制御スイッチのうちの少なくとも一つのモジュールに出力して電力を供給するように構成される。
【００１２】
１つの選択可能な実施例において、前記無線制御モジュールは、タンク回路をさらに含み、
前記タンク回路は、前記活線のオンオフ状態がオン状態である場合、前記電力供給モジュールで提供された電力エネルギーをエネルギー蓄積素子に蓄積し、前記活線のオンオフ状態がオフ状態である場合、前記エネルギー蓄積素子を介して前記メイン制御モジュール、前記活線オンオフ検出モジュール、前記無線通信モジュール及び前記制御スイッチのうちの少なくとも一つのモジュールに電力を供給するように構成される。
【００１３】
本発明の他の一態様によれば、第１の接線端と第２の接線端の間に順次直列接続されたフラッシュスイッチと無線制御モジュールとを含み、
前記無線制御モジュールは、上記の態様のいずれか１つの選択可能な態様に記載の無線制御モジュールである無線壁スイッチを提供する。
【００１４】
１つの選択可能な実施例において、前記無線壁スイッチは、８６型の壁スイッチである。
【００１５】
１つの選択可能な実施例において、前記無線壁スイッチ内には、安全スイッチがさらに含まれ、
前記安全スイッチは、前記第１の接線端と前記第２の接線端との間の通路を切断させた切断状態で動作し、または、第１の接線端と前記第２の接線端との間の通路を導通させた保持状態で動作するように構成される。
【００１６】
本発明の他の一態様によれば、上記の態様のいずれか１つの選択可能な態様に記載の無線制御モジュールを含む電力使用機器を提供する。
【００１７】
本発明の他の一態様によれば、活線と零線との間に順次直列接続されたフラッシュスイッチ、無線制御モジュール、及び電力使用機器を含み、
前記無線制御モジュールは、上記の態様のいずれか１つの選択可能な態様の無線制御モジュールである無線制御システムを提供する。
【００１８】
本発明の他の一態様によれば、活線と零線との間に順次直列接続されたフラッシュスイッチ、及び電力使用機器を含み、
前記電力使用機器は、上記の態様のいずれか１つの選択可能な態様の無線制御モジュールを含む無線制御システムを提供する。
【００１９】
本発明の実施例で提供される技術案は、以下のような有益な効果を含むことができる。
【００２０】
活線オンオフ検出モジュールとフラッシュスイッチをセットで使用し、活線オンオフ検出モジュールにより検出された活線のオンオフ状態を利用して、フラッシュスイッチがユーザーによって押圧された信号を識別することにより、電力使用機器の動作状態またはオフ状態を制御する。当該フラッシュスイッチの使用方式は、一般的な機械式スイッチの使用方式をシミュレートすることで、ユーザーが自分の使用習慣を変更する必要がない。一方、無線制御モジュールが持続的に動作可能であることを保証し、ユーザーがオフ状態であることを希望するシナリオでも、無線制御モジュールを採用してその電力使用機器を再作動させることができ、関連技術における一般的な機械式スイッチがオフ状態にある場合、無線制御スイッチが電力使用機器をオンにすることができない問題を解決することができる。
【００２１】
なお、前記一般的な記載及び後述の詳細な記載は、単なる例示的で解釈的な記載であり、本発明を限定しない。
【図面の簡単な説明】
【００２２】
ここの図面は、明細書に組み入れて本明細書の一部分を構成し、本発明に該当する実施例を例示するとともに、明細書とともに本発明の原理を解釈する。
【図１】他の一例示的な実施例に係る無線制御モジュールのブロック図である。
【図２】一例示的な実施例に係るフラッシュスイッチの模式図である。
【図３】一例示的な実施例に係る活線オンオフ検出モジュールのブロック図である。
【図４】他の一例示的な実施例に係る活線オンオフ検出モジュールのブロック図である。
【図５】他の一例示的な実施例に係る無線制御モジュールのブロック図である。
【図６】一例示的な実施例に係る無線壁スイッチのブロック図である。
【図７】他の一例示的な実施例に係る無線壁スイッチのブロック図である。
【図８】一例示的な実施例に係る電力使用機器のブロック図である。
【図９】一例示的な実施例に係る無線制御システムのブロック図である。
【図１０】一例示的な実施例に係る無線制御システムのブロック図である。
【発明を実施するための形態】
【００２３】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００２４】
まず、本発明の実施例に係るいくつかの用語に対して以下のように簡単に説明する。
【００２５】
活線は、民用電気の電力供給ラインのうち交流電力供給電圧（例えば、２２０ボルトであり、国によって異なる電圧値を有する）を有するするラインである。
【００２６】
零線は、民用電気の電力供給ラインのうち接地電圧を有するするラインである。
一般的な機械スイッチは、２つの状態の間の任意の状態に留まることができる。２つの状態は、オン状態とオフ状態を含む。一般的な機械スイッチの初期状態をオフ状態に設定し、一般的な機械式スイッチが電灯の活線に直列接続される後、ユーザーが一度押圧すると、一般的な機械スイッチは、オフ状態からオン状態に切り替えて、電灯は、点灯状態となり、ユーザーが再び押圧すると、一般的な機械スイッチは、オン状態からオフ状態に切り替えて、電灯は、消灯状態となる。
【００２７】
フラッシュスイッチは、通常状態でオン状態に留まるスイッチである。外力の作用を受ける場合、外力が作用している期間内にオフ状態にあり、外力がなくなる場合、再びオン状態に戻る。
【００２８】
本発明は、無線制御モジュールを提供し、その無線制御モジュールは、フラッシュスイッチを配合して使用することができる。フラッシュスイッチを採用して一般的な機械スイッチを代替する適用シナリオにおいて、その無線制御モジュールとフラッシュスイッチとは、同時に活線に直列接続され、且つ、その無線制御モジュールは、通常の動作状態を維持することができる。以下のような２つの制御方式を実現する。
【００２９】
第１の制御方式は、フラッシュスイッチで一般的な機械式スイッチをシミュレートする「手動制御方式」であり、
ユーザーがフラッシュスイッチを一度押圧した後、電力使用機器の状態は、動作状態とオフ状態との間に切り替える。即ち、ユーザーがフラッシュスイッチを第ｉ回に押圧した後、電力使用機器は、オフ状態となり、ユーザーがフラッシュスイッチを第ｉ＋１回に押圧した後、電力使用機器は、動作状態となる。
【００３０】
第２の制御方式は、遠隔制御装置で無線制御メッセージを採用して制御を行う「無線制御方式」であり、
ユーザーは、無線遠隔制御装置（リモコン、リモコンソフトウェアがインストールされた携帯電話、スマートホームソフトウェアがインストールされた携帯電話）を使用して無線制御モジュールに無線制御メッセージを送信し、無線制御メッセージが動作状態に移行することを指示する場合、無線制御モジュールは、電力使用機器が動作状態に移行するように制御し、無線制御メッセージがオフ状態に移行することを指示する場合、無線制御モジュールは、電力使用機器がオフ状態に移行するように制御する。
【００３１】
図１は、本発明の一例示的な実施例に係る無線制御モジュール１００を示すブロック図である。この無線制御モジュール１００は、メイン制御モジュール１２０、活線オンオフ検出モジュール１４０、無線通信モジュール１６０、及び電力供給モジュール１３０を含む。メイン制御モジュール１２０は、活線オンオフ検出モジュール１４０に接続され、メイン制御モジュール１２０は、無線通信モジュール１６０に接続され、メイン制御モジュール１２０は、制御スイッチ１８０に接続される。
【００３２】
活線オンオフ検出モジュール１４０は、フラッシュスイッチ２０が直列接続される活線のオンオフ状態を検出するように構成され、フラッシュスイッチは、外力で押圧される場合、オフ状態にあり、外力で押圧されない場合、オン状態にあるスイッチである。
【００３３】
無線通信モジュール１６０は、無線制御メッセージを受信するように構成され、無線制御メッセージは、電力使用機器３０のオンオフ状態を制御する。また、無線通信モジュール１６０は、電力使用機器の現在の状態（オン状態またはオフ状態）をアップロードするように構成される。
【００３４】
メイン制御モジュール１２０は、活線のオンオフ状態と電力使用機器３０の現在の状態に基づいて、現在の状態を変更するための制御コマンドを生成し、または、無線制御メッセージで指示される遠隔制御コマンドに基づいて、電力使用機器３０の現在の状態を維持しまたは現在の状態を変更するための制御コマンドを生成し、制御スイッチに制御コマンドを出力するように構成される。
【００３５】
電力供給モジュール１９０は、活線の交流電力を直流電力に変換して、直流電力をメイン制御モジュール１２０、活線オンオフ検出モジュール１４０、無線通信モジュール１６０、及び制御スイッチ１８０のうちの少なくとも一つのモジュールに出力して電力を供給するように構成される。例示的に、電力供給モジュール１９０は、無線制御モジュール１００での電力を必要とするモジュールに電力を供給する。
【００３６】
１．手動制御モード
ユーザーは、フラッシュスイッチ２０を押圧することにより、電力使用機器の動作状態を変更してもよい。
例示的に、フラッシュスイッチ２０は、押圧される場合、活線を切断する。メイン制御モジュール１２０は、活線がオフ状態にあり且つ電力使用機器３０の現在の状態が動作状態であることを検出した場合、オフ状態に変更するための制御コマンドを生成し、活線がオフ状態にあり且つ電力使用機器３０の現在の状態がオフ状態であることを検出した場合、動作状態に変更するための制御コマンドを生成するように構成される。
一例では、メイン制御モジュール１２０には、電力使用機器３０の現在の状態が記憶され、その記憶方式は、電源がオフになった後、失わない不揮発性記憶方式である。同時に、メイン制御モジュール１２０は、電源がオフになって再び通電された後に自動的に起動する機能を有する。フラッシュスイッチ２０が押圧される場合、活線は、切断され、メイン制御モジュール１２０も強制的にシャットダウンされるが、メイン制御モジュール１２０には、シャットダウンされる前の電力使用機器３０の現在の状態がキャッシュされる。フラッシュスイッチ２０の押圧が解除されると、活線は、再び通電され、メイン制御モジュール１２０は、自動的に再起動される。メイン制御モジュール１２０は、自動的に再起動された後、活線オンオフ検出モジュール１４０により活線がオフ状態にあることを検出した後、キャッシュされた電力使用機器３０の現在の状態に基づいて、電力使用機器の現在の状態に変更するための制御コマンドを生成する。
【００３７】
２．無線制御モード
メイン制御モジュール１２０は、無線制御メッセージが動作状態に移行することを指示し且つ電力使用機器３０の現在の状態が動作状態である場合、電力使用機器３０の現在の状態を維持するように構成される。
メイン制御モジュール１２０は、無線制御メッセージが動作状態に移行することを指示し且つ電力使用機器３０の現在の状態がオフ状態である場合、動作状態に変更するための制御コマンドを生成するように構成される。
メイン制御モジュール１２０は、無線制御メッセージがオフ状態に移行することを指示し且つ電力使用機器３０の現在の状態がオフ状態である場合、電力使用機器３０の現在の状態を維持するように構成される。
メイン制御モジュール１２０は、無線制御メッセージがオフ状態に移行することを指示し且つ電力使用機器３０の現在の状態が動作状態である場合、オフ状態に変更するための制御コマンドを生成するように構成される。
以上のように、本実施例に係る無線制御モジュールは、活線オンオフ検出モジュールとフラッシュスイッチをセットで使用し、活線オンオフ検出モジュールにより検出された活線のオンオフ状態を利用して、フラッシュスイッチがユーザーによって押圧された信号を識別することにより、電力使用機器の動作状態またはオフ状態を制御する。当該フラッシュスイッチの使用方式は、一般的な機械式スイッチの使用方式をシミュレートすることで、ユーザーが自分の使用習慣を変更する必要がない。一方、無線制御モジュールが持続的に動作可能であることを保証し、ユーザーがオフ状態であることを希望するシナリオでも、無線制御モジュールを採用してその電力使用機器を再起動させることができ、関連技術における一般的な機械式スイッチがオフ状態にある場合、無線制御スイッチが電力使用機器をオンにすることができない問題を解決することができる。
【００３８】
図１に基づく選択可能な実施例において、メイン制御モジュール１２０は、活線オンオフ検出モジュール１４０に接続され、メイン制御モジュール１２０は、無線通信モジュール１６０に接続され、メイン制御モジュール１２０は、制御スイッチ１８０に接続され、メイン制御モジュール１２０は、電力供給モジュール１９０に接続される。
【００３９】
メイン制御モジュール１２０は、無線制御モジュール１００における制御モジュールである。メイン制御モジュール１２０は、マイクロプロセッサまたはチップになることを実現することができる。本実施例では、このメイン制御モジュール１２０がチップであることを例として説明する。
【００４０】
活線オンオフ検出モジュール１４０は、活線のオンオフ状態を検出する回路である。活線オンオフ検出モジュール１４０は、メイン制御モジュール１２０の周辺回路を採用して実現してもよい、メイン制御モジュール１２０に搭載されたアナログデジタルコンバーター（または別途設けられたアナログデジタルコンバーター）を採用して実現してもよい。例示的に、活線オンオフ検出モジュール１４０の出力端は、メイン制御モジュール１２０の入力端（入力ピン）に接続される。
【００４１】
一例示的な例において、活線オンオフ検出モジュール１４０の出力レベルが第１のレベル（例えば、ハイレベル）である場合、メイン制御モジュール１２０で検出した活線のオンオフ状態は、オン状態であり、活線オンオフ検出モジュール１４０の出力レベルが第２のレベル（例えば、ローレベル）である場合、メイン制御モジュール１２０で検出した活線のオンオフ状態は、オフ状態である。
【００４２】
無線通信モジュール１６０は、ジグビー（Ｚｉｇｂｅｅ）機能を備える通信モジュール、低消費電力のＢｌｕｅｔｏｏｔｈ（登録商標）（ＢＬＥ、Ｂｌｕｅｔｏｏｔｈ（登録商標）  Ｌｏｗ  Ｅｎｅｒｇｙ）機能を備える通信モジュール、ＷＩＦＩ（Ｗｉｒｅｌｅｓｓ  Ｆｉｄｅｌｉｔｙ）機能を備える通信モジュール、及び赤外線遠隔制御機能を備える通信モジュールのうちの少なくとも一つのモジュールを含むが、これに限定されない。
【００４３】
無線通信モジュール１６０の出力端は、メイン制御モジュール１２０の入力端（入力ピン）に接続される。いくつかの実施形態において、無線通信モジュール１６０は、メイン制御モジュール１２０に集積されて、メイン制御モジュール１２０の一部を構成してもよい。
【００４４】
制御スイッチ１８０の制御端は、メイン制御モジュール１２０の出力端に接続される。例示的に、制御スイッチ１８０は、リレー、または、他の制御可能な電気制御スイッチである。
【００４５】
電力供給モジュール１９０は、活線の交流電力を直流電力に変換して、直流電力をメイン制御モジュール１２０、活線オンオフ検出モジュール１４０、無線通信モジュール１６０、及び制御スイッチ１８０のうちの少なくとも一つのモジュールに出力して電力を供給するように構成される。例示的には、電力供給モジュール１９０は、無線制御モジュール１００での電力を必要とするモジュールに電力を供給する。
【００４６】
選択的に、電力供給モジュール１９０は、整流回路と降圧回路を含み、整流回路は、活線の交流電力を直流電力に変換するためのものであり、降圧回路は、直流電力を降圧（及びフィルタリング）した後、無線制御モジュール（  １００）で電力を必要とする各モジュールに出力する。選択的に、電力供給モジュール１９０は、電池または電池パック（例えば、ＡＡＡ電池またはＡＡ電池）を含み、電池から無線制御モジュール１００での電力を必要とする各モジュールに電力を供給する。選択的に、電力供給モジュール１９０は、整流回路、降圧回路、及び電池を一緒に含み、ここで、整流回路と降圧回路は、無線制御モジュール１００の一部のモジュールに電力を供給し、電池は無線制御モジュール１００の他の一部のモジュールに電力を供給する。例えば、整流回路と降圧回路は、無線通信モジュール１６０に電力を供給し、電池は、メイン制御モジュール１２０に電力を供給する。一例示的な例において、活線オンオフ検出モジュール１４０に整流回路が設置される場合、電力供給モジュール１９０は、活線オンオフ検出モジュール１４０における整流回路を共用することができ、別の一つの整流回路を独自に設置することもでき、本発明の実施例は、これに対して限定しない。
【００４７】
活線オンオフ検出モジュール１４０は、フラッシュスイッチ２０が直列接続される活線のオンオフ状態を検出するように構成される。フラッシュスイッチは、外力で押圧される場合、オフ状態にあり、外力で押圧されない場合、オン状態にあるスイッチである。一例において、フラッシュスイッチは、バネ押圧部材を採用して実現してもよい。図２の（１）を参照すると、通常状態では、フラッシュスイッチは、オン状態にあり、ユーザーがボタンを押下した後、フラッシュスイッチは、オフ状態にあり、（図２の（２）を参照）。ユーザーがボタンを離した後、フラッシュスイッチは、オン状態に戻る（図２の（３）を参照）。ユーザーは、使用中に、フラッシュスイッチを短い時間で（例えば、０．５秒）押圧すればよい。選択的に、活線オンオフ検出モジュール１４０は、活線のオンオフ状態がオフ状態である場合、メイン制御モジュール１２０に割り込み信号を出力し、例えば、その割り込み信号は、ローレベルである。
【００４８】
無線通信モジュール１６０は、無線制御メッセージを受信するように構成され、無線制御メッセージは、電力使用機器３０のオンオフ状態を制御する。また、無線通信モジュール１６０は、電力使用機器の現在の状態（オン状態またはオフ状態）をアップロードするように構成される。
【００４９】
メイン制御モジュール１２０は、活線のオンオフ状態と電力使用機器３０の現在の状態に基づいて、現在の状態を変更するための制御コマンドを生成するように構成される。
【００５０】
メイン制御モジュール１２０は、無線制御メッセージで指示される遠隔制御コマンドに基づいて、電力使用機器３０の現在の状態を維持し、または、無線制御メッセージで指示される遠隔制御コマンドに基づいて、現在の状態を変更するための制御コマンドを生成し、制御スイッチ１８０に制御コマンドを出力するように構成される。
【００５１】
１．手動制御モード
ユーザーは、フラッシュスイッチ２０を押圧することにより、電力使用機器の動作状態を変更してもよい。
例示的に、フラッシュスイッチ２０は、押圧される場合、活線を切断する。メイン制御モジュール１２０は、活線がオフ状態にあり且つ電力使用機器３０の現在の状態が動作状態であることを検出した場合、オフ状態に変更するための制御コマンドを生成し、活線がオフ状態にあり且つ電力使用機器３０の現在の状態がオフ状態であることを検出した場合、動作状態に変更するための制御コマンドを生成するように構成される。
一例では、メイン制御モジュール１２０には、電力使用機器３０の現在の状態が記憶され、その記憶方式は、電源がオフになった後、失わない不揮発性記憶方式である。同時に、メイン制御モジュール１２０は、電源がオフになって再び通電された後に自動的に起動する機能を有する。フラッシュスイッチ２０が押圧される場合、活線は、切断され、メイン制御モジュール１２０も強制的にシャットダウンされるが、メイン制御モジュール１２０には、シャットダウンされる前の電力使用機器３０の現在の状態がキャッシュされる。フラッシュスイッチ２０の押圧が解除されると、活線は、再び通電され、メイン制御モジュール１２０は、自動的に再起動される。メイン制御モジュール１２０は、自動的に再起動された後、活線オンオフ検出モジュール１４０により活線がオフ状態にあることを検出した後、キャッシュされた電力使用機器３０の現在の状態に基づいて、電力使用機器の現在の状態に変更するための制御コマンドを生成する。
例えば、電力使用機器３０は、電灯でであり、且つその初期状態は、消灯状態であり、ユーザーがフラッシュスイッチを一度押圧すると、電灯は、点灯され、ユーザーがフラッシュスイッチをもう一度押圧すると、電灯は、消灯される。
【００５２】
２．無線制御モード
メイン制御モジュール１２０は、無線制御メッセージが動作状態に移行することを指示し且つ電力使用機器３０の現在の状態が動作状態である場合、電力使用機器３０の現在の状態を維持するように構成される。
メイン制御モジュール１２０は、無線制御メッセージが動作状態に移行することを指示し且つ電力使用機器３０の現在の状態がオフ状態である場合、オフ状態から動作状態に変更するための制御コマンドを生成するように構成される。
メイン制御モジュール１２０は、無線制御メッセージがオフ状態に移行することを指示し且つ電力使用機器３０の現在の状態がオフ状態である場合、電力使用機器３０の現在の状態を維持するように構成される。
メイン制御モジュール１２０は、無線制御メッセージがオフ状態に移行することを指示し且つ電力使用機器３０の現在の状態が動作状態である場合、動作状態からオフ状態に変更するための制御コマンドを生成するように構成される。
ここで、電力使用機器の現在の状態は、制御スイッチ１８０の状態によって確定することができる。制御スイッチ１８０がリレーであり且つオン状態にある場合、メイン制御モジュール１２０は、電力使用機器の現在の状態が動作状態であることを確定し、制御スイッチ１８０がリレーであり且つオフ状態にある場合、メイン制御モジュール１２０は、電力使用機器の現在の状態がオフ状態であることを確定する。
以上のように、本実施例に係る無線制御モジュールは、活線オンオフ検出モジュールとフラッシュスイッチをセットで使用し、活線オンオフ検出モジュールにより検出された活線のオンオフ状態を利用して、フラッシュスイッチがユーザーによって押圧された信号を識別することにより、電力使用機器の動作状態またはオフ状態を制御する。当該フラッシュスイッチの使用方式は、一般的な機械式スイッチの使用方式をシミュレートすることで、ユーザーが自分の使用習慣を変更する必要がない。一方、無線制御モジュールが持続的に動作可能であることを保証し、ユーザーがオフ状態であることを希望するシナリオでも、無線制御モジュールを採用してその電力使用機器を再起動させることができ、関連技術における一般的な機械式スイッチがオフ状態にある場合、無線制御スイッチが電力使用機器をオンにすることができない問題を解決することができる。
【００５３】
図１に基づく選択可能な実施例において、図３に示すように、活線オンオフ検出モジュール１４０は、整流サブモジュール１４２、分圧サブモジュール１４４、スイッチングチューブ１４６、及びバッファ１８０を含む。
【００５４】
整流サブモジュール１４２の入力端は、活線に接続される。整流サブモジュール１４２は、活線の交流電力を直流電力に整流する。
【００５５】
整流サブモジュール１４２の出力端は、分圧サブモジュール１４４の入力端に接続される。分圧サブモジュール１４４は、第１の抵抗Ｒ１と第２の抵抗Ｒ２を含み、第１の抵抗Ｒ１の一端は、整流サブモジュール１４２の出力端に接続され、第１の抵抗Ｒ１の他端は、第２の抵抗Ｒ２の一端に接続され、第２の抵抗Ｒ２の他端は、接地される。第１の抵抗Ｒ１と第２の抵抗Ｒ２との間は、分圧サブモジュール１４４の出力端とし、その分圧サブモジュール１４４の出力端は、スイッチングチューブ１４６の制御端ｂに接続され、スイッチングチューブ１４６の第１の接続端ｃは、メイン制御モジュール１２０の入力端に接続され、スイッチングチューブ１４６の第２の接続端ｅは、接地される。選択的に、スイッチングチューブ１４６の第２の接続端ｅは、第３の抵抗を介して整流サブモジュール１４２の出力端に接続される。
【００５６】
スイッチングチューブ１４６は、活線がオン状態にある場合、オン状態にあり、活線がオフ状態にある場合、オフにあり、低レベルの割り込み信号を出力するように構成される。
【００５７】
バッファ１４８は、スイッチングチューブ１４６の出力信号に対して目標時間を延長した後、メイン制御モジュール１２０に入力するように構成される。例示的に、目標時間は、（経験値＋起動時間）よりも大きい。ここで、経験値は、ユーザーがフラッシュスイッチを押圧した時間の経験値であり、フラッシュスイッチのユーザーに対する押圧時間を大量に収集して平均値を取得することにより確定されてもよい、起動時間は、メイン制御モジュール１２０が通電された後に自動的に起動して動作状態になるまでの時間である。
【００５８】
図１に基づく他の１つの選択可能な実施例において、図４に示すように、活線オンオフ検出モジュール１４０は、整流サブモジュール１４２、ＲＣ（Ｒｅｓｉｓｔｏｒ−Ｃａｐａｃｉｔｏｒ）回路、及びアナログデジタルコンバーター（ＡＤＣ）を含む。
【００５９】
整流サブモジュール１４２の入力端は、活線と接続され、整流サブモジュール１４２の出力は、ＲＣ回路の入力端と接続される。
【００６０】
アナログデジタルコンバーター（ＡＤＣ）の入力端は、ＲＣ回路を介して整流サブモジュール１４２に接続され、アナログデジタル変換モジュール（ＡＤＣ）の出力端は、メイン制御モジュール１２０の入力端に接続される。
【００６１】
ＲＣ回路は、第４の抵抗Ｒ４、第５の抵抗Ｒ５、及びコンデンサＣ１を含み、第４の抵抗Ｒ４の一端は、整流サブモジュール１４２の出力端に接続され、第４の抵抗Ｒ４の他端は、第５の抵抗Ｒ５の一端に接続され、第５の抵抗Ｒ５の他端は、接地される。第４の抵抗Ｒ４と第５の抵抗Ｒ５との間は、コンデンサＣ１を介して接地され、第４の抵抗Ｒ４と第５の抵抗Ｒ５との間は、さらにＲＣ回路の出力端としてアナログデジタルコンバーター（ＡＤＣ）の入力端に接続される。
【００６２】
アナログデジタルコンバーター（ＡＤＣ）は、１つの数値を出力するように構成され、その数値は、活線の電源切断時間を指示する。その数値で指示される電源切断時間が閾値よりも小さい場合、フラッシュスイッチが押圧されると判断し、その数値で指示される電源切断時間が閾値よりも大きい場合、電力網が電力切断されまたは点検状態での長時間の電力切断に判断する。
【００６３】
本発明の実施例は、活線オンオフ検出モジュール１４０の具体的な実現方法に対して制限しない。
【００６４】
前記無線制御モジュール１００は、フラッシュスイッチが押圧された短い時間内に、電力供給が停止されて動作することができないので、図１に基づく選択可能な実施例において、図６に示すように、無線制御モジュール１００は、タンク回路１５０をさらに含む。このタンク回路１５０内には、エネルギー蓄積素子が設置されており、そのエネルギー蓄積素子は、小型充電式電池またはキャパシタであってもよい。タンク回路１５０は、活線のオンオフ状態がオン状態である場合、電力供給モジュールから提供された電力エネルギーをエネルギー蓄積素子に蓄積し、活線のオンオフ状態がオフ状態である場合、エネルギー蓄積素子を介してメイン制御モジュール、活線オンオフ検出モジュール、無線通信モジュール、及び制御スイッチのうちの少なくとも一つのモジュールに電力を供給するように構成される。したがって、本実施例において、フラッシュスイッチが押圧される過程においても、メイン制御モジュール１２０は、再起動を行うことなく、タンク回路１５０から電力を供給することによって、正常に動作することを維持することができる。
【００６５】
図６は、本発明の一例示的な実施例に係る無線壁スイッチ６００のブロック図である。この無線壁スイッチ６００内には、上記の図１または図５に示される無線制御モジュール１００が含まれる。即ち、前記無線制御モジュール１００は、単独で一つの無線壁スイッチ６００になることを実現することができる。
【００６６】
この無線壁スイッチは、８６型の壁スイッチであり、その無線壁スイッチ６００は、ケース、ケースの内部に収容される無線制御モジュール１００、ケースの背部に設置される２つの接線端Ｌ１、Ｌ２を備える。ユーザーは、無線壁スイッチ６００を別途購入して、そのフラッシュスイッチと無線壁スイッチ６００を活線に直列接続して使用することができる。
【００６７】
本実施例において、フラッシュスイッチは、他の一つの８６型の壁スイッチに単独で設計されることができ、そのフラッシュスイッチには、安全スイッチがさらに設置される。安全スイッチは、２つの接線端間の通路を切断させる切断状態で動作し、または、２つの接線端間の通路を導通させる保持状態で動作するように構成される。安全スイッチは、８６型の壁スイッチの押しボタンまたはサイドのボタンになることを実現することができる。
【００６８】
８６型の壁スイッチを採用して設計することによって、ユーザーが便利に購入して家庭環境に装着することができ、スマートホームシステムを簡単に構築することができる。なお、前記安全スイッチは、電力使用機器を交換し、または、電力使用機器を修理する際に使用される。
【００６９】
図７は、本発明の一例示的な実施例に係る無線壁スイッチ７００のブロック図である。この無線壁スイッチ７００内には、第１の接線端Ｌ１と第２の接線端Ｌ２との間に順次直列接続されるフラッシュスイッチ２０と無線制御モジュール１００が含まれる。無線制御モジュール１００は、上記の図１または図５に示された無線制御モジュール１００である。即ち、フラッシュスイッチ２０と無線制御モジュール１００は、同一の無線壁スイッチに集積されることができる。
【００７０】
この無線壁スイッチは、８６型の壁スイッチであってもよい、その無線壁スイッチ７００は、ケース、ケースの内部に収容されるフラッシュスイッチ２０、及び無線制御モジュール１００、ケースの背部に設置される２つの接線端Ｌ１、Ｌ２を備える。ユーザーは、無線壁スイッチ７００を別途購入して、活線に直列接続して使用することができる。
【００７１】
選択的に、無線壁スイッチ７００内には、安全スイッチ（図示せず）がさらに含まれており、その安全スイッチは、第１の接線端Ｌ１とフラッシュスイッチ２０との間に直列接続され、または、フラッシュスイッチ２０と無線制御モジュール１００との間に直列接続される。この安全スイッチは、第１の接線端Ｌ１と第２の接線端Ｌ２との間の通路を切断させる切断状態で動作し、または、第１の接線端Ｌ１と前記第２の接線端Ｌ２との間の通路を導通させる保持状態（通常状態）で動作するように構成される。安全スイッチは、８６型の壁スイッチの押しボタンまたはサイドのボタンになることを実現することができる。上記の安全スイッチは、電力使用機器を交換し、または、電力使用機器を修理する際に使用される。
【００７２】
図８は、本発明の一例示的な実施例に係る電力使用機器８００のブロック図である。この電力使用機器９００は、電灯、テレビ、扇風機、パン焼き機、コーヒーマシンなどのスマートホーム機器であってもよい。この電力使用機器９００内には、上記の図１または図５中のいずれかに示される無線制御モジュール１００が含まれる。
【００７３】
選択的に、当該電力使用機器８００内には、電力使用部品３０が含まれ、無線制御モジュール１００と電力使用部品３０は、２つの接線端Ｌ１、Ｌ２との間に直列接続され、２つの接線端Ｌ１、Ｌ２は、電源コンセントになることを実現することができる。
【００７４】
図９は、本発明の一例示的な実施例に係る無線制御システム９００のブロック図である。その無線制御システム９００は、活線と零線の間に順次直列接続されるフラッシュスイッチ２０、無線制御モジュール１００、電力使用機器３０を含み、
無線制御モジュール１００は、上記の図１または図２または図５中のいずれかに示される無線制御モジュールである。
【００７５】
図１０は、本発明の一例示的な実施例に係る無線制御システム１０００のブロック図である。その無線制御システム１０００は、活線と零線の間に順次直列接続されるフラッシュスイッチ２０、電力使用機器８００を含み、
電力使用機器８００は、図８に示される電力使用機器である。
【００７６】
当然理解するのは、本発明に記載されている「複数の」は、２つまたは２つ以上を意味する。「および／または」は、関連対象の関連関係を説明するものであり、３つの関係が存在することを意味し、例えば、Ａおよび／またはＢは、Ａが単独で存在するか、ＡとＢが同時に存在するか、Ｂが単独で存在する３の場合を意味する。符号「／」は、一般的に前後の関連対象が「または」の関係を持つことを意味する。
【００７７】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【００７８】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2021532608.tif 000003
【図２】
2021532608.tif 000004
【図３】
2021532608.tif 000005
【図４】
2021532608.tif 000006
【図５】
2021532608.tif 000007
【図６】
2021532608.tif 000008
【図７】
2021532608.tif 000009
【図８】
2021532608.tif 000010
【図９】
2021532608.tif 000011
【図１０】
2021532608.tif 000012
【手続補正書】
【提出日】令和1年11月25日(2019.11.25)
【手続補正１】
【補正対象書類名】明細書
【補正対象項目名】０００９
【補正方法】変更
【補正の内容】
【０００９】
１つの選択可能な実施例において、前記活線オンオフ検出モジュールは、整流サブモジュールと、ＲＣ回路、アナログデジタルコンバーターを含み、
前記整流サブモジュールの入力端は、前記活線に接続され、前記整流サブモジュールの出力端は、前記ＲＣ回路の入力端に接続され、
前記アナログデジタルコンバーターの入力端は、前記ＲＣ回路を介して前記整流サブモジュールに接続され、前記アナログデジタルコンバーターの出力端は、前記メイン制御モジュールの入力端に接続される。
【手続補正２】
【補正対象書類名】明細書
【補正対象項目名】００３１
【補正方法】変更
【補正の内容】
【００３１】
図１は、本発明の一例示的な実施例に係る無線制御モジュール１００を示すブロック図である。この無線制御モジュール１００は、メイン制御モジュール１２０、活線オンオフ検出モジュール１４０、無線通信モジュール１６０、及び電力供給モジュール１９０を含む。メイン制御モジュール１２０は、活線オンオフ検出モジュール１４０に接続され、メイン制御モジュール１２０は、無線通信モジュール１６０に接続され、メイン制御モジュール１２０は、制御スイッチ１８０に接続される。
【手続補正３】
【補正対象書類名】明細書
【補正対象項目名】００５３
【補正方法】変更
【補正の内容】
【００５３】
図１に基づく選択可能な実施例において、図３に示すように、活線オンオフ検出モジュール１４０は、整流サブモジュール１４２、分圧サブモジュール１４４、スイッチングチューブ１４６、及びバッファ１４８を含む。
【手続補正４】
【補正対象書類名】明細書
【補正対象項目名】００５５
【補正方法】変更
【補正の内容】
【００５５】
整流サブモジュール１４２の出力端は、分圧サブモジュール１４４の入力端に接続される。分圧サブモジュール１４４は、第１の抵抗Ｒ１と第２の抵抗Ｒ２を含み、第１の抵抗Ｒ１の一端は、整流サブモジュール１４２の出力端に接続され、第１の抵抗Ｒ１の他端は、第２の抵抗Ｒ２の一端に接続され、第２の抵抗Ｒ２の他端は、接地される。第１の抵抗Ｒ１と第２の抵抗Ｒ２との間は、分圧サブモジュール１４４の出力端とし、その分圧サブモジュール１４４の出力端は、スイッチングチューブ１４６の制御端ｂに接続され、スイッチングチューブ１４６の第１の接続端ｃは、メイン制御モジュール１２０の入力端に接続され、スイッチングチューブ１４６の第２の接続端ｅは、接地される。選択的に、スイッチングチューブ１４６の第１の接続端ｃは、第３の抵抗Ｒ３を介して整流サブモジュール１４２の出力端に接続される。
【手続補正５】
【補正対象書類名】明細書
【補正対象項目名】００６０
【補正方法】変更
【補正の内容】
【００６０】
アナログデジタルコンバーター（ＡＤＣ）の入力端は、ＲＣ回路を介して整流サブモジュール１４２に接続され、アナログデジタルコンバーター（ＡＤＣ）の出力端は、メイン制御モジュール１２０の入力端に接続される。
【手続補正６】
【補正対象書類名】明細書
【補正対象項目名】００６４
【補正方法】変更
【補正の内容】
【００６４】
前記無線制御モジュール１００は、フラッシュスイッチが押圧された短い時間内に、電力供給が停止されて動作することができないので、図１に基づく選択可能な実施例において、図５に示すように、無線制御モジュール１００は、タンク回路１５０をさらに含む。このタンク回路１５０内には、エネルギー蓄積素子が設置されており、そのエネルギー蓄積素子は、小型充電式電池またはキャパシタであってもよい。タンク回路１５０は、活線のオンオフ状態がオン状態である場合、電力供給モジュールから提供された電力エネルギーをエネルギー蓄積素子に蓄積し、活線のオンオフ状態がオフ状態である場合、エネルギー蓄積素子を介してメイン制御モジュール、活線オンオフ検出モジュール、無線通信モジュール、及び制御スイッチのうちの少なくとも一つのモジュールに電力を供給するように構成される。したがって、本実施例において、フラッシュスイッチが押圧される過程においても、メイン制御モジュール１２０は、再起動を行うことなく、タンク回路１５０から電力を供給することによって、正常に動作することを維持することができる。
【手続補正７】
【補正対象書類名】明細書
【補正対象項目名】００７２
【補正方法】変更
【補正の内容】
【００７２】
図８は、本発明の一例示的な実施例に係る電力使用機器８００のブロック図である。この電力使用機器８００は、電灯、テレビ、扇風機、パン焼き機、コーヒーマシンなどのスマートホーム機器であってもよい。この電力使用機器８００内には、上記の図１または図５中のいずれかに示される無線制御モジュール１００が含まれる。
【手続補正８】
【補正対象書類名】特許請求の範囲
【補正対象項目名】全文
【補正方法】変更
【補正の内容】
【特許請求の範囲】
【請求項１】
メイン制御モジュールと、前記メイン制御モジュールに接続される活線オンオフ検出モジュールと、前記メイン制御モジュールに接続される無線通信モジュールと、前記メイン制御モジュールに接続される制御スイッチとを含み、
前記活線オンオフ検出モジュールは、フラッシュスイッチが直列接続される活線のオンオフ状態を検出するように構成され、前記フラッシュスイッチは、外力で押圧される場合、オフ状態にあり、外力で押圧されない場合、オン状態にあるスイッチであり、
前記無線通信モジュールは、無線制御メッセージを受信し、電力使用機器の現在の状態をアップロードするように構成され、前記無線制御メッセージは、前記電力使用機器のオンオフ状態を制御するものであり、
前記メイン制御モジュールは、前記活線のオンオフ状態と前記電力使用機器の現在の状態に基づいて、前記現在の状態を変更するための制御コマンドを生成し、または、前記無線制御メッセージで指示される遠隔制御コマンドに基づいて、前記電力使用機器の現在の状態を維持しまたは前記現在の状態を変更するための制御コマンドを生成し、前記制御スイッチに前記制御コマンドを出力するように構成される
ことを特徴とする無線制御モジュール。
【請求項２】
前記メイン制御モジュールは、前記活線がオフ状態にあり且つ前記電力使用機器の現在の状態が動作状態であることを検出した場合、オフ状態に変更するための制御コマンドを生成するように構成され、
前記メイン制御モジュールは、前記活線がオフ状態にあり且つ前記電力使用機器の現在の状態が前記オフ状態である場合、前記動作状態に変更するための制御コマンドを生成するように構成される
ことを特徴とする請求項１に記載の無線制御モジュール。
【請求項３】
前記メイン制御モジュールは、前記無線制御メッセージが動作状態に移行することを指示し且つ前記電力使用機器の現在の状態が前記動作状態である場合、前記電力使用機器の現在の状態を維持するように構成され、
前記メイン制御モジュールは、前記無線制御メッセージが動作状態に移行することを指示し且つ前記電力使用機器の現在の状態がオフ状態である場合、前記動作状態に変更するための制御コマンドを生成するように構成され、
前記メイン制御モジュールは、前記無線制御メッセージが前記オフ状態に移行することを指示し且つ前記電力使用機器の現在の状態が前記オフ状態である場合、前記電力使用機器の現在の状態を維持するように構成され、
前記メイン制御モジュールは、前記無線制御メッセージが前記オフ状態に移行することを指示し且つ前記電力使用機器の現在の状態が前記動作状態である場合、前記オフ状態に変更するための制御コマンドを生成するように構成される
ことを特徴とする請求項１に記載の無線制御モジュール。
【請求項４】
前記活線オンオフ検出モジュールは、整流サブモジュールと、分圧サブモジュールと、スイッチングチューブと、バッファとを含み、
前記整流サブモジュールの入力端は、前記活線に接続され、前記整流サブモジュールの出力端は、前記分圧サブモジュールの入力端に接続され、前記分圧サブモジュールの出力端は、前記スイッチングチューブの制御端に接続され、前記スイッチングチューブの第１の接続端は、前記メイン制御モジュールの入力端に接続され、前記スイッチングチューブの第２の接続端は、接地され、
前記スイッチングチューブは、前記活線がオン状態にある場合、オン状態にあり、前記活線がオフ状態にある場合、オフ状態にあるように構成され、
前記バッファは、前記スイッチングチューブの出力信号に対して目標時間を延長した後、前記メイン制御モジュールに入力するように構成される
ことを特徴とする請求項１ないし３のいずれか一項に記載の無線制御モジュール。
【請求項５】
前記活線オンオフ検出モジュールは、整流サブモジュールと、ＲＣ回路、アナログデジタルコンバーターを含み、
前記整流サブモジュールの入力端は、前記活線に接続され、前記整流サブモジュールの出力端は、前記ＲＣ回路の入力端に接続され、
前記アナログデジタルコンバーターの入力端は、前記ＲＣ回路を介して前記整流サブモジュールに接続され、前記アナログデジタルコンバーターの出力端は、前記メイン制御モジュールの入力端に接続される
ことを特徴とする請求項１ないし３のいずれか一項に記載の無線制御モジュール。
【請求項６】
前記無線通信モジュールは、
ジグビー（Ｚｉｇｂｅｅ）機能を備える通信モジュールと、
低消費電力のＢｌｕｅｔｏｏｔｈ（登録商標）（ＢＬＥ）機能を備える通信モジュールと、
ＷＩＦＩ機能を備える通信モジュールと、
赤外線遠隔制御機能を備える通信モジュールとのうちの少なくとも一つのモジュールを含む
ことを特徴とする請求項１ないし３のいずれか一項に記載の無線制御モジュール。
【請求項７】
前記無線制御モジュールは、電力供給モジュールをさらに含み、
前記電力供給モジュールは、前記活線の交流電力を直流電力に変換し、前記直流電力を前記メイン制御モジュール、前記活線オンオフ検出モジュール、前記無線通信モジュール及び前記制御スイッチのうちの少なくとも一つのモジュールに出力して電力を供給するように構成される
ことを特徴とする請求項１ないし３のいずれか一項に記載の無線制御モジュール。
【請求項８】
前記無線制御モジュールは、タンク回路をさらに含み、
前記タンク回路は、前記活線のオンオフ状態がオン状態である場合、前記電力供給モジュールで提供された電力エネルギーをエネルギー蓄積素子に蓄積し、前記活線のオンオフ状態がオフ状態である場合、前記エネルギー蓄積素子を介して前記メイン制御モジュール、前記活線オンオフ検出モジュール、前記無線通信モジュール及び前記制御スイッチのうちの少なくとも一つのモジュールに電力を供給するように構成される
ことを特徴とする請求項７に記載の無線制御モジュール。
【請求項９】
第１の接線端と第２の接線端の間に順次直列接続されるフラッシュスイッチと無線制御モジュールとを含み、
前記無線制御モジュールは、請求項１ないし８のいずれか一項に記載の無線制御モジュールである
ことを特徴とする無線壁スイッチ。
【請求項１０】
前記無線壁スイッチは、８６型の壁スイッチである
ことを特徴とする請求項９に記載の無線壁スイッチ。
【請求項１１】
前記無線壁スイッチ内には、安全スイッチがさらに含まれ、
前記安全スイッチは、前記第１の接線端と前記第２の接線端との間の通路を切断させた切断状態で動作し、または、第１の接線端と前記第２の接線端との間の通路を導通させた保持状態で動作するように構成される
ことを特徴とする請求項９に記載の無線壁スイッチ。
【請求項１２】
請求項１ないし８のいずれか一項に記載の無線制御モジュールを含む
ことを特徴とする電力使用機器。
【請求項１３】
活線と零線との間に順次直列接続されるフラッシュスイッチ、無線制御モジュール、及び電力使用機器を含み、
前記無線制御モジュールは、請求項１ないし８のいずれか一項に記載の無線制御モジュールである
ことを特徴とする無線制御システム。
【請求項１４】
活線と零線との間に順次直列接続されるフラッシュスイッチ、及び電力使用機器を含み、
前記電力使用機器は、請求項１ないし８のいずれか一項に記載の無線制御モジュールを含む
ことを特徴とする無線制御システム。
【国際調査報告】
2021532608.tif 000013
2021532608.tif 000014
2021532608.tif 000015
2021532608.tif 000016